(57)【要約】【課題】可視光透過率の制御と熱線反射とを両立すると共に、加工性に優れ、取扱い容易な、安価な半透明熱線反射フィルム、及びこれを用いた冷温蔵庫を提供すること。【解決手段】透明な基材フィルム１１上に、可視光の透過率を制御した半透明層２と、熱線を反射する熱線反射層３とを積層してなる半透明熱線反射フィルム１。庫内に収納する物品を保冷又は保温するための冷温蔵庫であって、庫内を視認することができる窓部が配設されていると共に、窓部には半透明熱線反射フィルム１が配設されている冷温蔵庫。【選択図】図１
2007203661.tif 000002
【特許請求の範囲】
【請求項１】
透明な基材フィルム上に、可視光の透過率を制御した半透明層と、熱線を反射する熱線反射層とを積層してなることを特徴とする半透明熱線反射フィルム。
【請求項２】
請求項１において、上記半透明層はステンレス鋼の膜からなることを特徴とする半透明熱線反射フィルム。
【請求項３】
請求項２において、上記半透明層はスパッタリングによって形成されていることを特徴とする半透明熱線反射フィルム。
【請求項４】
請求項１〜３のいずれか一項において、上記熱線反射層は、第１のＩＴＯ層とＡｇ層と第２のＩＴＯ層とを、この順で積層してなることを特徴とする半透明熱線反射フィルム。
【請求項５】
請求項４において、上記熱線反射層はスパッタリングによって形成されていることを特徴とする半透明熱線反射フィルム。
【請求項６】
請求項１〜５のいずれか一項において、上記熱線反射層を成膜した基材フィルムと、上記半透明層を成膜した基材フィルムとを互いに貼り合わせることにより構成されていることを特徴とする半透明熱線反射フィルム。
【請求項７】
請求項１〜６のいずれか一項において、庫内に収納する物品を保冷又は保温するための冷温蔵庫の窓部に配設するフィルムであることを特徴とする半透明熱線反射フィルム。
【請求項８】
庫内に収納する物品を保冷又は保温するための冷温蔵庫であって、
該冷温蔵庫には、庫内を視認することができる窓部が配設されていると共に、該窓部には半透明熱線反射フィルムが配設されており、
該半透明熱線反射フィルムは、透明な基材フィルム上に、可視光の透過率を制御した半透明層と、熱線を反射する熱線反射層とを積層してなることを特徴とする冷温蔵庫。
【請求項９】
請求項８において、上記半透明熱線反射フィルムは、上記熱線反射層を成膜した基材フィルムと、上記半透明層を成膜した基材フィルムとを互いに貼り合わせることにより構成されていることを特徴とする冷温蔵庫。
【請求項１０】
庫内に収納する物品を保冷又は保温するための冷温蔵庫であって、
該冷温蔵庫には、庫内を視認することができる窓部が配設されていると共に、該窓部の一方の面には可視光の透過率を制御した半透明層を配置し、上記窓部の他方の面には熱線を反射する熱線反射層を配置してなることを特徴とする冷温蔵庫。
【請求項１１】
請求項８〜１０のいずれか一項において、上記半透明層はステンレス鋼の膜からなることを特徴とする冷温蔵庫。
【請求項１２】
請求項１１において、上記半透明層はスパッタリングによって形成されていることを特徴とする冷温蔵庫。
【請求項１３】
請求項８〜１２のいずれか一項において、上記熱線反射層は、第１のＩＴＯ層とＡｇ層と第２のＩＴＯ層とを、この順で積層してなることを特徴とする冷温蔵庫。
【請求項１４】
請求項１３において、上記熱線反射層はスパッタリングによって形成されていることを特徴とする冷温蔵庫。
【請求項１５】
請求項８〜１４のいずれか一項において、庫内を照明する照明手段を設けてなることを特徴とする冷温蔵庫。
【請求項１６】
請求項１５において、上記照明手段は発光ダイオードからなることを特徴とする冷温蔵庫。
【発明の詳細な説明】
【技術分野】
【０００１】
本発明は、半透明層と熱線反射層とを兼ね備える半透明熱線反射フィルム、及びこれを窓部に配設した冷温蔵庫に関する。
【背景技術】
【０００２】
透明素材で構成したケーシングの少なくとも一部にハーフミラー処理を施して、ケーシングの内部に照明手段を取付け、照明手段の点灯、消灯によって、ケーシング内部を外から見えるようにしたり見えないようにしたりすることができるハーフミラー式ケーシングが開示されている（特許文献１）。
該ハーフミラー式ケーシングを例えば冷蔵庫に適用した場合には、冷蔵庫の扉を開けることなく、上記照明手段を点灯することにより庫内を視認することができる。また、不必要なときは、照明手段を消灯して、庫内を見えないようにすることができる。これにより、扉の開閉の回数を減らして、庫内温度の変化を抑制し、消費電力の低減を実現することができる。
【０００３】
該ハーフミラー式ケーシングは、外部からの熱線を遮断することはできない。そのため、上記ハーフミラー式ケーシングを冷蔵庫に適用する場合には、庫内に熱線が浸入して、庫内の温度が上昇してしまうという問題がある。そのため、庫内の保冷を行うためには、この温度上昇分を余分に冷却する必要が生じ、消費電力が大きくなってしまうという問題がある。
【０００４】
また、特許文献２及び特許文献３には、ガラス基板上に金属酸化物膜等を積層した低反射熱線反射ガラスが開示されている。
しかし、該低反射熱線反射ガラスは、基材がガラス基板であるため、加工性が悪く、冷蔵庫等の家電製品への取付けが容易ではない。例えば、冷蔵庫の扉にあわせたデザインに加工したり、ガラスが重く取り付け作業に困難を要するなど、多くの問題がある。
【０００５】
【特許文献１】実開平５−５９３９０号公報
【特許文献２】特開平８−４８５４５号公報
【特許文献３】特開平７−２９１６６９号公報
【発明の開示】
【発明が解決しようとする課題】
【０００６】
本発明は、かかる従来の問題点に鑑みてなされたものであり、可視光透過率の制御と熱線反射とを両立すると共に、加工性に優れ、取扱い容易な、安価な半透明熱線反射フィルム、及びこれを用いた冷温蔵庫を提供しようとするものである。
【課題を解決するための手段】
【０００７】
第１の発明は、透明な基材フィルム上に、可視光の透過率を制御した半透明層と、熱線を反射する熱線反射層とを積層してなることを特徴とする半透明熱線反射フィルムにある（請求項１）。
【０００８】
次に、本発明の作用効果につき説明する。
上記半透明熱線反射フィルムは、上記半透明層を有することにより、可視光の透過率を制御することができる。そのため、上記半透明熱線反射フィルムを介して反対側を見たとき、反対側に存在する物品等の明るさによって、その物品等が見えたり見えなかったりする。それ故、上記半透明熱線反射フィルムの向こう側の明るさを変化させることにより、そこに配された物品等の視認性を容易に調整することができる。
【０００９】
また、上記半透明熱線反射フィルムは、上記熱線反射層を有するため、熱線を遮断することができる。それ故、半透明熱線反射フィルムによって、断熱を行うことができる。
このように、上記半透明熱線反射フィルムが、上記半透明層と上記熱線反射層とを兼ね備えることにより、半透明熱線反射フィルムを介した視認性の調整と、断熱との両方を、容易に行うことができる。
【００１０】
また、熱線反射層の膜厚を大きくして可視光透過率を制御することも可能であるが、熱線反射層には通常Ａｇ等の高価でかつ錆びやすい材料を用いるため、熱線反射層の膜厚を大きくすることは好ましくない。そこで、上記のごとく半透明層を積層して、該半透明層によって可視光の透過率を制御することにより、安価かつ耐久性に優れた半透明熱線反射フィルムを得ることができる。
【００１１】
また、上記半透明熱線反射フィルムはフィルム状であるため、加工性に優れていると共に、窓部等に容易に貼着することができ、その取扱いが容易である。即ち、フィルム状であることにより、所望の形に容易に切断することもできるし、湾曲した状態で窓部等に貼り付けることもできる。また、フィルム状であることにより重量が小さく、貼着作業等を行うに当たって、その取扱いが容易である。
【００１２】
以上のごとく、本発明によれば、可視光透過率の制御と熱線反射とを両立すると共に、加工性に優れ、取扱い容易な、安価な半透明熱線反射フィルムを提供することができる。
【００１３】
第２の発明は、庫内に収納する物品を保冷又は保温するための冷温蔵庫であって、
該冷温蔵庫には、庫内を視認することができる窓部が配設されていると共に、該窓部には半透明熱線反射フィルムが配設されており、
該半透明熱線反射フィルムは、透明な基材フィルム上に、可視光の透過率を制御した半透明層と、熱線を反射する熱線反射層とを積層してなることを特徴とする冷温蔵庫にある（請求項８）。
【００１４】
次に、本発明の作用効果につき説明する。
上記半透明熱線反射フィルムは、上記半透明層を有することにより、可視光の透過率を制御することができる。そのため、上記半透明熱線反射フィルムを上記窓部に貼着することにより、上記冷温蔵庫の庫内に存在する物品の明るさによって、その物品が見えたり見えなかったりする。それ故、庫内の明るさを変化させることにより、庫内の物品の視認性を容易に調整することができる。
【００１５】
また、上記半透明熱線反射フィルムは、上記熱線反射層を有するため、熱線を遮断することができる。それ故、上記半透明熱線反射フィルムを上記窓部に貼着することにより、庫内と庫外との断熱を行うことができる。そのため、窓部を設けていても、庫内の温度上昇又は温度低下を防ぐことができ、保冷又は保温を効率的に行うことができる。
【００１６】
このように、上記半透明熱線反射フィルムが、上記半透明層と上記熱線反射層とを兼ね備えることにより、庫内の視認性の調整と、断熱との両方を、容易に行うことができる。
従って、庫内の物品を見たいときには、庫内を明るくすることにより、扉を開けることなく窓部を介して庫内の物品を見ることができ、庫内を見る必要のないときは、庫内を暗くすることにより、庫内の物品を隠すことができ、冷温蔵庫の外観意匠性を確保することができる。そして、窓部を有していても、上記の断熱効果により、庫内の温度変化を抑制することができるため、消費電力を抑制することができる。
【００１７】
また、熱線反射層の膜厚を大きくして可視光透過率を制御することも可能であるが、熱線反射層には通常Ａｇ等の高価でかつ錆びやすい材料を用いるため、熱線反射層の膜厚を大きくすることは好ましくない。そこで、上記のごとく半透明層を積層して、該半透明層によって可視光の透過率を制御することにより、安価かつ耐久性に優れた半透明熱線反射フィルムを得ることができる。
【００１８】
また、上記半透明熱線反射フィルムはフィルム状であるため、加工性に優れていると共に、窓部に容易に貼着することができ、その取扱いが容易である。即ち、フィルム状であることにより、所望の形に容易に切断することもできるし、湾曲した状態で窓部等に貼り付けることもできる。それ故、上記冷温蔵庫のデザインの自由度を高めることもできる。
また、フィルム状であることにより重量が小さく、貼着作業等を行うに当たって、その取扱いが容易であるため、上記冷温蔵庫を容易に製造することができる。
【００１９】
以上のごとく、本発明によれば、庫内の視認性を調整することができると共に、庫内と庫外との断熱を確保することができる、製造容易な冷温蔵庫を提供することができる。
【００２０】
第３の発明は、庫内に収納する物品を保冷又は保温するための冷温蔵庫であって、
該冷温蔵庫には、庫内を視認することができる窓部が配設されていると共に、該窓部の一方の面には可視光の透過率を制御した半透明層を配置し、上記窓部の他方の面には熱線を反射する熱線反射層を配置してなることを特徴とする冷温蔵庫にある（請求項１０）。
本発明の冷蔵庫も、庫内の視認性を調整することができると共に、庫内と庫外との断熱を確保することができる。
【発明を実施するための最良の形態】
【００２１】
上記第１の発明（請求項１）及び上記第２の発明（請求項８）において、上記基材フィルムとしては、例えばＰＥＴ（ポリエチレンテレフタレート）フィルム等の樹脂フィルムを用いることができる。
また、上記半透明熱線反射フィルムは、例えば、可視光の透過率を８０％以下で調整することができ、熱源となる紫外線の反射率を７０％以上とすることができる。
なお、上記可視光の透過率は１０〜７０％の間で調整することが好ましい。透過率が１０％以下であると、半透明熱線反射フィルムを透視したいとき、向こう側を極めて明るくする必要が生じるおそれがある。一方、透過率が７０％以上であると、例えば夜間等に室内の照明等によって半透明熱線反射フィルムの向こう側が見えやすくなりすぎるおそれがある。
【００２２】
また、上記半透明層はステンレス鋼の膜からなることが好ましい（請求項２、請求項１１）。
この場合には、上記可視光の透過率の制御を容易に行うことができると共に、錆び難く耐久性に優れた半透明層を形成することができる。
【００２３】
ここで、可視光の透過率の制御を行うにあたっては、上記半透明層の厚さを適宜調整することが必要となるが、ステンレス鋼（ＳＵＳ）の膜からなる半透明層の膜厚は、５〜５０ｎｍとすることが好ましい。これにより、半透明熱線反射フィルムの可視光の透過率を
８０％以下で制御することができる。
また、上記半透明層としては、ステンレス鋼の膜の代わりに、チタン、クロム、ニクロム、アルミ、銅、スズなどの金属膜さらにはＧｅ、Ｓｉなどの半導体膜を用いても、厚さを適宜調整することで半透明の特性を得ることができる。
【００２４】
また、上記半透明層はスパッタリングによって形成されていることが好ましい（請求項３、請求項１２）。
この場合には、上記半透明層を均質に形成することができる。これにより、上記可視光の透過率の制御を精確に行うことができる。
【００２５】
また、上記熱線反射層は、第１のＩＴＯ（錫ドープ酸化インジウム）層とＡｇ（銀）層と第２のＩＴＯ層とを、この順で積層してなることが好ましい（請求項４、請求項１３）。
この場合には、効果的に熱線を反射することができる熱線反射層を得ることができる。
【００２６】
また、上記第１のＩＴＯ層の厚み及び上記第２のＩＴＯ層の厚みは、それぞれ１０〜５０ｎｍであることが好ましい。第１のＩＴＯ層又は第２のＩＴＯ層の厚みが１０ｎｍ未満の場合、或いは５０ｎｍを超える場合には、熱線反射層の光学設計上、可視光透過率が下がり、所望の可視光透過率を得ることが困難となるおそれがある。
【００２７】
また、上記Ａｇ層の厚みは１〜３ｎｍであることが好ましい。Ａｇ層が１ｎｍ未満の場合には、熱線反射効果が低下するおそれがある。一方、Ａｇ層が３ｎｍを超える場合には、光透過率が低下するため、フィルムの向こう側を明るくしたときにも視認性が低下するおそれがある。
Ａｇ層を厚くした場合においても、半透明層の膜厚を適宜調整することで、例えば、５５０ｎｍの波長における透過率が５０％以下の半透明熱線反射フィルムを作製することができる。ただしＡｇ層を厚くしすぎると、Ａｇ層が錆びやすく、またＡｇ層のコストがかかりすぎるという問題が生じるおそれがある。
【００２８】
また、上記熱線反射層はスパッタリングによって形成されていることが好ましい（請求項５、請求項１４）。
この場合には、上記熱線反射層を、均質に形成することができる。これにより、より効果的に熱線を反射することができる熱線反射層を得ることができる。
【００２９】
また、上記熱線反射層を成膜した基材フィルムと、上記半透明層を成膜した基材フィルムとを互いに貼り合わせることにより構成されていてもよい（請求項６、請求項９）。
この場合にも、半透明層と熱線反射層とを積層してなる半透明熱線反射フィルムを得ることができ、可視光透過率の制御と熱線反射とを両立すると共に、加工性に優れ、取扱い容易な、安価な半透明熱線反射フィルムを提供することができる。
【００３０】
また、上記第１の発明（請求項１）において、上記半透明熱線反射フィルムは、庫内に収納する物品を保冷又は保温するための冷温蔵庫の窓部に配設するフィルムとすることができる（請求項７）。
この場合には、上記熱線反射フィルムを上記窓部に配設することにより、冷温蔵庫の庫内の視認性を調整することができると共に、庫内と庫外との断熱を確保することができる。
【００３１】
また、上記第２の発明（請求項８）において、上記冷温蔵庫は、例えば、庫内に収納する物品を保冷する冷蔵庫（保冷庫）、保温する温蔵庫（保温庫）、或いは、保冷と保温との双方の機能を持った温冷蔵庫であってもよい。
【００３２】
また、上記冷温蔵庫は、庫内を照明する照明手段を設けてなることが好ましい（請求項１５）。
この場合には、上記照明手段を利用して庫内の明るさを変化させることにより、窓部を介して庫内の物品が見えたり見えなかったりするようにすることが容易となる。即ち、庫内の物品を見たいときには、上記照明手段を点灯して庫内を明るくすることにより、扉を開けることなく窓部を介して庫内の物品を見ることができ、庫内を見る必要のないときは、上記照明手段を消灯して庫内を暗くすることにより、庫内の物品を見えなくして、冷温蔵庫の外観意匠性を確保することができる。
【００３３】
また、上記照明手段は発光ダイオードからなることが好ましい（請求項１６）。
この場合には、庫内の温度変化を一層抑制することができる。即ち、上記発光ダイオード（ＬＥＤ）は発光スペクトルの半値幅が狭く、赤外光（熱線）を殆ど放射しないため、発光ダイオードによって庫内の照明を行ったとしても、庫内の温度を上昇させることがない。それ故、特に冷蔵庫における上記照明手段として発光ダイオードを採用することにより、消費電力を一層抑制した冷蔵庫を得ることができる。
【実施例】
【００３４】
（実施例１）
本発明の実施例にかかる半透明熱線反射フィルム及びこれを用いた冷蔵庫につき、図１〜図６を用いて説明する。なお、図１等の半透明熱線反射フィルムの層構造を示す図面については、各層の厚みの関係は考慮していない。
本例の半透明熱線反射フィルム１は、図１に示すごとく、透明な基材フィルム１１上に、可視光の透過率を制御した半透明層２と、熱線を反射する熱線反射層３とを積層してなる。
【００３５】
基材フィルム１１はＰＥＴフィルムからなり、半透明層２は、基材フィルム１１の表面にスパッタリングによって形成されたステンレス鋼（ＳＵＳ）の膜からなる。また、熱線反射層３は、半透明層２の表面にスパッタリングによって順次形成された第１のＩＴＯ（錫ドープ酸化インジウム）層３１とＡｇ層３２と第２のＩＴＯ層３３とを、この順で積層してなる。
【００３６】
上記半透明熱線反射フィルム１は、図４、図５に示すごとく、庫内に収納する物品４０を保冷するための冷蔵庫４の窓部４１に配設して用いることができる。
即ち、本例の冷蔵庫４は、庫内を視認することができる窓部４１が配設されていると共に、該窓部４１には半透明熱線反射フィルム１が配設されている。図６に示すごとく、窓部４１は、アクリル等の透明樹脂板４１０からなり、該透明樹脂板４１０の表面に半透明熱線反射フィルム１を貼着してなる。また、該透明樹脂板４１０の表面には、庫内を照明する照明手段として白色の発光ダイオード（ＬＥＤ）４２を複数個配設してなる。
半透明熱線反射フィルム１及び発光ダイオード４２は、それぞれ、窓部４１の内側、外側の何れに配設されていてもよい。
【００３７】
次に、本例の半透明熱線反射フィルム１の製造方法の一例を説明する。
まず、幅５００ｍｍ、厚さ５０μｍのＰＥＴフィルム（ポリエチレンテレフタレートフィルム）からなる基材フィルム１１を５００ｍ巻いたロール状体を樹脂フィルム成膜用のスパッタ装置に設置する。
【００３８】
その後、成膜するスパッタ膜と基材フィルム１１との密着性を良くすることを目的とし、ターボ分子ポンプを用い、スパッタ装置の成膜室内を５×１０-4Ｐａの高真空に真空引きを行い、成膜室内の残留ガス、水分量を減らす。
このように高真空にスパッタ装置を真空引きした状態で、上記ロール状体から基材フィルム１１を送り出すと共に巻き取り用のロールで巻き取りつつ、基材フィルム１１の表面にスパッタ成膜を行なう。
【００３９】
まず半透明層２の形成に当っては、成膜室にアルゴンガスを２００ｍｌ／分の量で導入し、フィルム送りスピードを１．２ｍ／分として基材フィルム１１を稼動させつつ、成膜室内のカソード電極として設置したＳＵＳターゲットに対して、１．５ｋＷの電力パワーで２００Ｖの高電圧を印加する。この電圧印加は、パルス波形を印加できるパルス型のＤＣ（直流）電源を用いて行なうことができる。これにより、基材フィルム１１上にＳＵＳを１０ｎｍの厚さで成膜する。その間、巻き取りロールに基材フィルム１１を巻き取ることで、基材フィルム１１上に第１層としてＳＵＳの金属膜からなる半透明層２を形成する。
【００４０】
次に、三層からなる熱線反射層３の成膜を行う。
まず、この熱線反射層３のうち、第１のＩＴＯ層３１を、半透明層２の上に成膜する。
成膜室にアルゴンガスを２００ｍｌ／分の量で導入し、上記のごとく半透明層２が成膜されロール状に巻き取られた基材フィルム１１を、フィルム送りスピードを０．３ｍ／分として稼動させつつ、成膜室内のカソード電極として設置したＳＵＳターゲットに対して、４．０ｋＷの電力パワーで３５０Ｖの高電圧を印加する。この電圧印加は、上記と同様、パルス波形を印加できるパルス型のＤＣ（直流）電源を用いて行なうことができる。これにより、基材フィルム１１に、半透明層２の上から第１のＩＴＯ層３１を２５ｎｍの厚さで成膜する。
【００４１】
続いて、三層からなる熱線反射層３の中間層である、Ａｇ層３２の成膜を行なう。
中間層となるＡｇ層３２を成膜するに当たっては、成膜室にアルゴンガスを２００ｍｌ／分の量で導入し、上記のごとく半透明層２及び第１のＩＴＯ層３１が成膜されロール状に巻き取られた基材フィルム１１を、フィルム送りスピードを１．２ｍ／分として稼動させつつ、成膜室内のカソード電極として設置したＡｇターゲットに対して、４．０ｋＷの電力パワーで３５０Ｖの高電圧を印加する。この電圧印加は、上記と同様、パルス型のＤＣ電源を用いて行なうことができる。これにより、基材フィルム１１に、上記第１のＩＴＯ層３１の上からＡｇ層３２を２ｎｍの厚さで成膜する。
【００４２】
続いて、三層からなる熱線反射層の最上層である第２のＩＴＯ層３３の成膜を行なう。
第２のＩＴＯ層３３の成膜に当たっては、成膜室にアルゴンガスを２００ｍｌ／分の量で導入し、上記のごとく半透明層２、第１のＩＴＯ層３１、及びＡｇ層３２が成膜されロール状に巻き取られた基材フィルム１１を、フィルム送りスピードを０．３ｍ／分として稼動させつつ、成膜室内のカソード電極として設置したＩＴＯターゲットに対して、４．０ｋＷの電力パワーで３５０Ｖの高電圧を印加する。この電圧印加は、上記と同様、パルス型のＤＣ電源を用いて行なうことができる。これにより、基材フィルム１１上に、第２のＩＴＯ層３３を２５ｎｍの厚さで成膜する。
【００４３】
このようにして、図１に示すごとく、基材フィルム１１上に、半透明なＳＵＳからなる半透明層２と、第１のＩＴＯ層３１、Ａｇ層３２、第２のＩＴＯ層３３の三層からなる熱線反射層３とを形成して、本例の半透明熱線反射フィルム１を得る。このように得られた本例の半透明熱線反射フィルム１は、可視光透過率が５０％、熱源となる赤外線（熱線）の反射率が８０％以上となる光学特性を有する。
【００４４】
また、上記のごとく成膜を行って得られた半透明熱線反射フィルム１に対し、図２、図３に示すごとく、粘着層１２を形成することもできる。これにより、半透明熱線反射フィルム１を上記透明樹脂板４１０に容易に貼設することができる。なお、粘着層１２は、図２、図３に示すごとく、基材フィルム１１側、熱線反射層３側のいずれの面に施しても構わない。
【００４５】
そしてこの半透明熱線反射フィルム１を、図６に示すごとく、透明樹脂板４１０に貼り、さらに照明手段として発光ダイオード４２を配設する。このように作製した窓部モジュール４１１を、図４、図５に示すごとく、冷蔵庫４の扉の一部等に備え付ける。これにより、発光ダイオード４２を点灯したときのみ扉を開けずに庫内を見ることができるよう構成した冷蔵庫４を得る。
【００４６】
次に、本例の作用効果につき説明する。
上記半透明熱線反射フィルム１は、上記半透明層２を有することにより、可視光の透過率を制御することができる。そのため、上記半透明熱線反射フィルム１を介して反対側を見たとき、反対側に存在する物品４０等の明るさによって、その物品４０等が見えたり見えなかったりする。それ故、上記半透明熱線反射フィルム１の向こう側の明るさを変化させることにより、そこに配された物品４０等の視認性を容易に調整することができる。
【００４７】
また、上記半透明熱線反射フィルム１は、上記熱線反射層３を有するため、熱線を遮断することができる。それ故、半透明熱線反射フィルム１によって、断熱を行うことができる。
このように、半透明熱線反射フィルム１が、半透明層２と熱線反射層３とを兼ね備えることにより、半透明熱線反射フィルム１を介した視認性の調整と、断熱との両方を、容易に行うことができる。
【００４８】
また、熱線反射層３の膜厚を大きくして可視光透過を制御することも可能であるが、熱線反射層３には高価でかつ錆びやすいＡｇ（銀）を用いているため、熱線反射層３の膜厚を大きくすることは好ましくない。そこで、上記のごとく半透明層２を積層して、該半透明層２によって可視光の透過率を制御することにより、安価かつ耐久性に優れた半透明熱線反射フィルム１を得ることができる。
【００４９】
また、半透明熱線反射フィルム１はフィルム状であるため、加工性に優れていると共に、窓部４１等に容易に貼着することができ、その取扱いが容易である。即ち、フィルム状であることにより、所望の形に容易に切断することもできるし、湾曲した状態で窓部４１等に貼り付けることもできる。また、フィルム状であることにより重量が小さく、貼着作業等を行うに当たって、その取扱いが容易である。
【００５０】
また、本例の半透明熱線反射フィルム１を冷蔵庫４に設けた窓部４１に設置することにより、以下の作用効果を得ることができる。
即ち、上述のごとく、半透明熱線反射フィルム１が可視光の透過率を制御することができるため、半透明熱線反射フィルム１を窓部４１に貼着することにより、図４、図５に示すごとく、冷蔵庫４の庫内に存在する物品４０の明るさによって、その物品４０が見えたり見えなかったりする。それ故、庫内の明るさを変化させることにより、庫内の物品４０の視認性を容易に調整することができる。
【００５１】
また、上述のごとく半透明熱線反射フィルム１は熱線を遮断することができるため、半透明熱線反射フィルム１を窓部４１に貼着することにより、庫内と庫外との断熱を行うことができる。そのため、窓部４１を設けていても、庫内の温度上昇を防ぐことができ、保冷を効率的に行うことができる。
【００５２】
このように、半透明熱線反射フィルム１が半透明層２と熱線反射層３とを兼ね備えることにより、庫内の視認性の調整と、断熱との両方を、容易に行うことができる。
従って、庫内の物品４０を見たいときには、図５に示すごとく、発光ダイオード４２を点灯して庫内を明るくすることにより、扉を開けることなく窓部４１を介して庫内の物品４０を見ることができる。また、庫内を見る必要のないときは、発光ダイオード４２を消灯して庫内を暗くすることにより、庫内の物品４０を見えなくすることができ、冷蔵庫４の外観意匠性を確保することができる。そして、窓部４０を有していても、上記の断熱効果により、庫内の温度変化を抑制することができるため、消費電力を抑制することができる。
【００５３】
また、半透明熱線反射フィルム１はフィルム状であるため、所望の形に容易に切断することもできるし、湾曲した状態で窓部４１に貼り付けることもできる。それ故、上記冷蔵庫４のデザインの自由度を高めることもできる。
また、フィルム状であることにより重量が小さく、貼着作業等を行うに当たって、その取扱いが容易であるため、上記冷蔵庫４を容易に製造することができる。
【００５４】
また、半透明層２はステンレス鋼（ＳＵＳ）の膜からなるため、可視光の透過率の制御を容易に行うことができる。
また、半透明層２はスパッタリングによって形成するため、半透明層２を均質に形成することができ、可視光の透過率の制御を精確に行うことができる。
【００５５】
また、熱線反射層３は、第１のＩＴＯ層３１とＡｇ層３２と第２のＩＴＯ層３３とを、この順で積層してなるため、効果的に熱線を反射することができる。
また、熱線反射層３はスパッタリングによって形成されているため、熱線反射層３を均質に形成することができ、より効果的に熱線を反射することができる。
【００５６】
また、冷蔵庫４は、庫内を照明する照明手段（発光ダイオード４２）を設けてなるため、該照明手段を利用して庫内の明るさを変化させることにより、窓部４１を介して庫内の物品４０が見えたり見えなかったりするようにすることが容易となる。
【００５７】
また、上記照明手段は発光ダイオード４２からなるため、庫内の温度変化を一層抑制することができる。即ち、発光ダイオード４２はタングステンランプ等の一般的な照明手段とは異なり、発光スペクトルの半値幅が狭く、赤外光（熱線）を殆ど放射しないため、発光ダイオード４２によって庫内の照明を行ったとしても、庫内の温度を上昇させることがない。それ故、冷蔵庫４における照明手段として発光ダイオード４２を採用することにより、消費電力を一層抑制した冷蔵庫４を得ることができる。
【００５８】
以上のごとく、本例によれば、可視光透過率の制御と熱線反射とを両立すると共に、加工性に優れ、取扱い容易な、安価な半透明熱線反射フィルムを提供することができる。また、これにより、庫内の視認性を調整することができると共に、庫内と庫外との断熱を確保することができる、製造容易な冷蔵庫を提供することができる。
【００５９】
（実施例２）
本例は、図７に示すごとく、基材フィルム１１上に、熱線反射層３を積層し、その上に半透明層２を設けた半透明熱線反射フィルム１の例である。即ち、本例の半透明熱線反射フィルム１は、実施例１に示した層構造に対して、半透明層２と熱線反射層３との位置を逆転させた層構造を有する。その他は、実施例１と同様である。
本例の場合には、ステンレス鋼の膜からなる半透明層２を最表層に配置することができるため、錆び難く耐久性に優れた半透明熱線反射フィルム１を得ることができる。その他、実施例１と同様の作用効果を有する。
【００６０】
（実施例３）
本例は、図８〜図１１に示すごとく、熱線反射層３を成膜した基材フィルム１１と、半透明層２を成膜した基材フィルム１１０とを互いに貼り合わせることにより構成した半透明熱線反射フィルム１の例である。
本例の半透明熱線反射フィルム１を作製するに当っては、まず、図８に示すごとく、基材フィルム１１０に半透明層２を成膜した半透明フィルム１０１と、図９に示すごとく、基材フィルム１１の表面に熱線反射層３を成膜した熱線反射フィルム１０２とを、それぞれ作製する。
【００６１】
基材フィルム１１０への半透明層２の成膜と、基材フィルム１１への熱線反射層３の成膜とは、それぞれ実施例１に示したスパッタリング法によって行う。
即ち、半透明フィルム１０１を作製するに当っては、基材フィルム１１０をスパッタ装置内において稼動させながら、ステンレス鋼（ＳＵＳ）を基材フィルム１１０の表面にスパッタ成膜する。
【００６２】
また、熱線反射フィルム１０２を作製するに当っては、基材フィルム１１をスパッタ装置内において稼動させながら、ＩＴＯ、Ａｇ、ＩＴＯを、順次、基材フィルム１１の表面にスパッタ成膜する。
スパッタ装置の真空引きや、アルゴンの導入条件、各層の成膜条件等は、実施例１に示したものと同様である。
【００６３】
そして、図１０に示すごとく、粘着層１２０を介して、半透明フィルム１０１と熱線反射フィルム１０２とを貼り合せることにより、半透明熱線反射フィルム１を得る。半透明フィルム１０１と熱線反射フィルム１０２とを貼り合せる向きについては、特にどのように貼り合せても本発明の作用効果を発揮することはできる。例えば、図１０に示すごとく、半透明フィルム１０１の半透明層２と熱線反射フィルム１０２の熱線反射層３とを対向させるようにして貼着してもよい。そして、熱線反射フィルム１０２の基材フィルム１１側の表面に粘着層１２を設けて、透明樹脂板や透明ガラス等に貼着することができるよう構成することができる。
【００６４】
また、図１１に示すごとく、半透明フィルム１０１の半透明層２に粘着層１２０を介して熱線反射フィルム１０２の基材フィルム１１側を貼着して、半透明熱線反射フィルム１を作製してもよい。ただし、この場合には、熱線反射層３が最表層に配されることとなるため、その表面に樹脂等のコーティング層１３を成膜しておくことが望ましい。熱線反射層３のＡｇ層３２の酸化腐食を防止するためである。
その他は、実施例１と同様である。
【００６５】
本例の場合にも、半透明層２と熱線反射層３とを積層してなる半透明熱線反射フィルム１を得ることができ、可視光透過率の制御と熱線反射とを両立すると共に、加工性に優れ、取扱い容易な、安価な半透明熱線反射フィルム１を提供することができる。
その他、実施例１と同様の作用効果を有する。
【００６６】
なお、図１２に、上記半透明フィルム１０１単独の場合の光透過率スペクトルの一例（Ｓ１）と、上記熱線反射フィルム１０２単独の場合の光透過率スペクトルの一例（Ｓ２）とを示す。同図に示すごとく、波長５５０ｎｍにおいて、半透明フィルム１０１は１８％の透過率を有し、熱線反射フィルム１０２は７５％の透過率を有する。
【００６７】
そして、これらの光透過率スペクトル特性を有する半透明フィルム１０１と熱線反射フィルム１０２とを貼り合わしたとき、図１４に示すごとく、波長５５０ｎｍにおける透過率は約１４％となる。また、この２種類のフィルムを張り合わせることにより、光透過率の制御と熱線反射という、それぞれの機能を兼ね備えた半透明熱線反射フィルム１を作製することが可能となる。
【００６８】
（実施例４）
本例は、図１４に示すごとく、冷蔵庫における窓部４１の一方の面に半透明層２を配置し、窓部４１の他方の面に熱線反射層３を配置した例である。
即ち、窓部４１を構成する透明樹脂板４１０の一方の面に、上記実施例３において示した半透明フィルム１０１（図８）を、粘着層１２を介して貼着してある。また、透明樹脂板４１０の他方の面に、上記実施例３において示した熱線反射フィルム１０２（図９）を、粘着層１２を介して貼着してある。
その他は、実施例１と同様である。
本例の場合にも、庫内の視認性を調整することができると共に、庫内と庫外との断熱を確保することができる、製造容易な冷蔵庫を提供することができる。
【００６９】
なお、本発明の半透明熱線反射フィルムは、例えば、上述した実施例１〜４に記載の層構造を採用することにより、電磁シールド機能をも持たせることができる。即ち、上記半透明熱線反射フィルムを、治療室、実験室の壁や窓、或いは精密電子機器等に貼着して、電磁ノイズを防ぐ電磁シールドフィルムとして用いることもできる。
【図面の簡単な説明】
【００７０】
【図１】実施例１における、半透明熱線反射フィルムの断面説明図。
【図２】実施例１における、粘着層を基材フィルム側に設けた半透明熱線反射フィルムの断面説明図。
【図３】実施例１における、粘着層を熱線反射層側に設けた半透明熱線反射フィルムの断面説明図。
【図４】実施例１における、庫内の照明を消灯した状態の冷蔵庫の斜視図。
【図５】実施例１における、庫内の照明を点灯した状態の冷蔵庫の斜視図。
【図６】実施例１における、冷蔵庫の窓部（窓部モジュール）の斜視図。
【図７】実施例２における、半透明熱線反射フィルムの断面説明図。
【図８】実施例３における、半透明フィルムの断面説明図。
【図９】実施例３における、熱線反射フィルムの断面説明図。
【図１０】実施例３における、半透明熱線反射フィルムの断面説明図。
【図１１】実施例３における、他の半透明熱線反射フィルムの断面説明図。
【図１２】実施例３における、半透明フィルム単独、熱線反射フィルム単独の場合の、それぞれの光透過率スペクトルの一例を示す線図。
【図１３】実施例３における、半透明フィルムと熱線反射フィルムとを貼り合せた場合の光透過率スペクトルの一例を示す線図。
【図１４】実施例４における、半透明膜及び熱線反射フィルムを貼着した冷蔵庫の窓部の断面説明図。
【符号の説明】
【００７１】
１  半透明熱線反射フィルム
１１  基材フィルム
２  半透明層
３  熱線反射層
３１  第１のＩＴＯ層
３２  Ａｇ層
３３  第２のＩＴＯ層
４  冷蔵庫
４１  窓部
４２  発光ダイオード
【図１】
2007203661.tif 000003
【図２】
2007203661.tif 000004
【図３】
2007203661.tif 000005
【図４】
2007203661.tif 000006
【図５】
2007203661.tif 000007
【図６】
2007203661.tif 000008
【図７】
2007203661.tif 000009
【図８】
2007203661.tif 000010
【図９】
2007203661.tif 000011
【図１０】
2007203661.tif 000012
【図１１】
2007203661.tif 000013
【図１２】
2007203661.tif 000014
【図１３】
2007203661.tif 000015
【図１４】
2007203661.tif 000016